(57)【要約】  【課題】ろ過側における汚泥に起因するところのメンテナンスを困難にするトラブルを一掃する。  【解決手段】担体に担持させた好気性微生物によって原水ａ中の有機物などを分解する生物反応槽１と、反応処理水ｂから汚泥を分離する分離槽２などからなり、生物反応槽１内は散気装置３によって好気性条件に保持している。生物反応槽１の後段部分に槽内を仕切るスクリーン４を設け、排水に際して担体が流出するのを防止するよう構成され、スクリーン４によって仕切られるろ過側領域１１に液流動手段として、回転翼（プロペラ）５１を有する撹拌装置５を配置して、その回転翼５１を回転させることによって槽内の汚泥を強制的に流動させる。  【選択図】  図１
2005074365.tif 000002
【特許請求の範囲】
【請求項１】
担体と活性汚泥を併用し活性汚泥法を行うとともに、担体と汚泥を分離するスクリーンを備えた生物反応槽であって、スクリーンのろ過側の槽内に液流動手段を設けたことを特徴とするスクリーンを備えた生物反応槽。
【請求項２】
膜分離装置を付設して活性汚泥法を行うとともに、膜洗浄粒子と汚泥を分離するスクリーンを備えた生物反応槽であって、スクリーンのろ過側の槽内に液流動手段を設けたことを特徴とするスクリーンを備えた生物反応槽。
【請求項３】
液流動手段が螺旋翼または回転翼を有する撹拌装置である請求項１または２に記載のスクリーンを備えた生物反応槽。
【請求項４】
液流動手段が気泡を発生させる散気装置である請求項１または２に記載のスクリーンを備えた生物反応槽。
【請求項５】
液流動手段が螺旋翼または回転翼を有する撹拌装置および気泡を発生させる散気装置とを併設したものである請求項１または２に記載のスクリーンを備えた生物反応槽。
【発明の詳細な説明】
【技術分野】
【０００１】
本発明は、担体と活性汚泥を併用し活性汚泥法において、担体と汚泥を分離するスクリーンを備えた生物反応槽に関するものであって、特に、スクリーンのろ過側で発生する汚泥に起因するトラブルを解消できる生物反応槽に関する。
【背景技術】
【０００２】
従来から下水など各種排水を浄化する装置として、活性汚泥法による生物反応槽を用いた処理装置が利用されている。この活性汚泥処理装置は、図３に例示するように、好気性微生物によって原水ａ中の有機物などを分解する生物反応槽１と、生物反応槽１から送られた反応処理水ｂから汚泥を分離して処理水ｃとして排水するとともに、分離した活性汚泥ｄを生物反応槽１に返送するとようにした分離槽２とから構成される。なお、散気装置３には外部から空気ｅが圧送され、生物反応槽１内を好気性条件に保持している。
【０００３】
このような生物反応槽において、好気性微生物の活性をより効果的に作用させるために、それた微生物を培養・担持させた担体を利用することが行われている。（特許文献１、非特許文献１を参照のこと）
この微生物を担持させた担体を利用する生物反応槽の場合、反応槽の後段部分に槽内を仕切るスクリーン４を設け、反応処理水を次ぎの分離槽２に送給する際に、担体が流出するのを防止するよう構成されている。
【特許文献１】特開平７−１２４５８２号公報：段落（００１８）、図１〜４
【非特許文献１】雑誌名［用水と廃水］、Ｖｏｌ．３４、Ｎｏ．３４、第９３５〜９４０頁「包括固定化担体を用いた排水処理（角野立夫  他）」（１９９２）
【０００４】
このような担体を利用した活性汚泥法における生物反応槽１では、前記スクリーン４によって担体と分離した汚泥がろ過側領域１１において凝固するなどして流動し難い状態となり、異常に堆積したり、スカムが浮上して排水経路に障害を与える、スクリーンに目詰まりが生じる、あるいはろ過側液面が固着した汚泥で覆われ、害虫などが発生するなどの問題が生じ易く、このためその清掃除去、復旧などメンテナンスに手間がかかった。特に、原水のＭＬＳＳが３０００ｍｇ／Ｌ以上の高濃度の場合には問題が発生しやすかった。
また、生物反応槽に膜分離装置（図示せず）を付設する場合には、膜面を洗浄するために添加される膜洗浄粒子を分離するスクリーンにおいて同様な問題があった。
【発明の開示】
【発明が解決しようとする課題】
【０００５】
本発明は、上記の問題点を解決するためになされたものであり、ろ過側における汚泥に起因するところのメンテナンスを困難にするトラブルを一掃することが可能なスクリーンを備えた生物反応槽を提供する。
【課題を解決するための手段】
【０００６】
上記の問題は、担体と活性汚泥を併用し活性汚泥法を行うとともに、担体と汚泥を分離するスクリーンを備えた生物反応槽であって、スクリーンのろ過側の槽内に液流動手段を設けたことを特徴とする本発明のスクリーンを備えた生物反応槽によって、解決することができる。さらに、膜分離装置を付設して活性汚泥法を行うとともに、膜洗浄粒子と汚泥を分離するスクリーンを備えた生物反応槽であって、スクリーンのろ過側の槽内に液流動手段を設けたことを特徴とする本発明のスクリーンを備えた生物反応槽によって、解決することができる。そして、本発明の液流動手段としては、螺旋翼もしくは回転翼を有する撹拌装置または気泡を発生させる散気装置が好ましく適用できる。
【発明の効果】
【０００７】
本発明のスクリーンを備えた生物反応槽は、このように構成されているので、ろ過側槽内の汚泥に適当な流動性を賦与するので、原水のＭＬＳＳが３０００ｍｇ／Ｌ以上の高濃度の場合であっても、汚泥が凝固して堆積することもなく、スカムが浮上して排水経路に障害を与えることもなくなるうえ、また同時にスクリーンが閉塞することも回避できるなど、汚泥に起因するトラブルを一掃することができるという優れた効果がある。よって本発明は、従来の問題点を解消したスクリーンを備えた生物反応槽として、実用的価値はきわめて大なるものがある。
【発明を実施するための最良の形態】
【０００８】
次に、本発明のスクリーンを備えた生物反応槽に係る実施形態について、図１、２を参照しながら説明する。
担体と活性汚泥を併用し活性汚泥法を行うとともに、担体と汚泥を分離するスクリーンを備えた生物反応槽を対象とした場合について説明する。この生物反応槽におけるスクリーンの原液側は先に説明した事例と全く同様である。すなわち、担体に担持させた好気性微生物によって原水ａ中の有機物などを分解する生物反応槽１と、反応処理水ｂから汚泥を分離する分離槽２などからなり、生物反応槽１内は散気装置３によって好気性条件に保持している。（図３参照）そして、生物反応槽１の後段部分に槽内を仕切るスクリーン４を設け、排水に際して担体が流出するのを防止するよう構成されている。
【０００９】
本発明の特徴とするところは、スクリーン４によって仕切られるろ過側領域１１に液流動手段を設けた点であり、図１には、回転翼（プロペラ）５１を有する撹拌装置５を配置して、その回転翼５１を回転させることによって槽内の汚泥を強制的に流動させようとする点にある。
【００１０】
図示のような単一は回転翼５１の場合は、回転する回転翼５１に接する部分の汚泥のみが掻き回されるだけで周囲に流動が伝達しない場合があるので、回転翼５１は底部から表面近くまで複数段に組み付けたものとし、領域内全体を流動可能にするのが好ましい。また、この目的には、回転翼（プロペラ）５１の替わりに螺旋翼（図示せず）を有する撹拌装置を利用してもよい。
【００１１】
また、本発明は、前記回転翼５１などを有する撹拌装置のような液流動手段に替えて、気泡を発生させる散気装置６を配置する形態に具体化できる。散気装置６の仕様は特に限定するものではなく、ろ過側領域１１内を流動させられるような気泡の上昇流を発生できるものでよい。さらには、生物反応槽１内を好気性条件に保持している散気装置３に供給される空気ｅを分岐してこの流動用の散気装置６に供給するようにすれば、装置が単純化される利点がある。
【００１２】
さらに、散気装置６によって槽内を流動化する利点は、上昇する気泡が酸素供給源として作用する点にある。本発明の生物反応槽は好気性反応を行うものであるが、スクリーン４からろ過側領域１１に流入した汚泥には散気装置３からの酸素の供給が絶えるうえ、液中の酸素は消耗して好ましくない嫌気性に傾く傾向が認められる。ところが、本発明のように散気装置６によって槽内を流動化すると、同時に酸素が補給されるので、好気性を維持するのに大いに貢献するようになる。
【００１３】
なお、この散気装置と前記螺旋翼または回転翼を有する撹拌装置を併設すれば、強制的な流動作用と酸素供給作用の両方の利点を享受することができるのでより好ましい。
【００１４】
さらに、本発明の生物反応槽としては、活性汚泥を用いる生物処理槽であり、好気槽、硝化液循環法による処理槽、ＡＯ法またはＡ２Ｏ法などの処理槽を含む、いずれも散気装置によって好気性が維持される処理槽を含む。
【００１５】
この生物反応槽が膜分離装置を付設する形式の反応槽であって、担体の代わりに膜表面を洗浄するための粒子（膜洗浄粒子）を使用する活性汚泥法の場合も前記の場合と全く同様なので、説明の繰り返しは省略する。この場合、膜分離装置としては、外圧方式または内圧方式のいずれでもよく、使用される膜が、高分子材（ＰＥＧ、ＰＶＡ、ＰＰ、ＰＵ、ＰＥ、ＰＶｄＦなど合成樹脂材料）またはセラミックス材料を用いて、モノリス、チューブラー、ハニカム、中空糸、または平膜状のろ過体に構成した膜として、多くの形式の膜分離装置に適用される。また、膜分離槽を生物反応槽とは別に設置しても良い。
【００１６】
また、本発明のスクリーンを備えた生物反応槽は、下水、返流水、工場排水、ゴミ浸出水、し尿廃水、農業廃水、畜産廃水、養殖廃水など広範囲の排水処理槽適用可能であることはいういまでもない。
【図面の簡単な説明】
【００１７】
【図１】本発明の第１実施形態を説明するための要部断面図。
【図２】本発明の第２実施形態を説明するための要部断面図。
【図３】一般的な活性汚泥処理装置のフロー概要を示す図。
【符号の説明】
【００１８】
１：生物反応槽
１１：ろ過側領域
２：分離槽
３：散気装置
４：スクリーン
５：撹拌装置
５１：回転翼
６：散気装置
ａ：原水、ｂ：反応処理水、ｅ：気体
【図１】
2005074365.tif 000003
【図２】
2005074365.tif 000004
【図３】
2005074365.tif 000005